(57)【要約】    【課題】  大きさが制限されている背当て面の大きさを維持して主収納部の大きさを拡大して幅広の収納物を収納することができるランドセルを提供する。    【解決手段】  主収納部１が、背当て面２と、これに対面している前面３と、これらの間に介在している台形の底襠４およびその両側の側襠５とからなり、前記底襠および側襠は背当て面の端縁より内側に位置し、また背当て面の周囲は段部を形成しているランドセルＡ。前記底襠４は前面に向かって下向きに傾斜し、また側襠５は背当て面２に対しハの字状に傾いていると共にその下辺は前面３に向かって下向きに傾斜しており、主収納部１の前面側は背当て面に比して内幅が広く、底が下方に位置している。【選択図】  図１
2005103245.tif 000002
【特許請求の範囲】
【請求項１】
主収納部および（または）副収納部に幅狭収納部と幅広収納部を連通状態で設けているランドセル。
【請求項２】
前記主収納部に設けられた幅広収納部が主収納部の前面および（または）背面に位置している請求項１記載のランドセル。
【請求項３】
前記主収納部の底襠が、その両側辺が背面から前面に向けて外側に広がっている台形状を呈し、前記底襠の両側辺よりそれぞれ側襠が立ち上がってなり、主収納部の前面の内幅が背面よりも幅広である請求項２記載のランドセル。
【請求項４】
前記底襠が背面から前面に向けて下向きに傾斜し、側襠の下底が背面から前面に向けて下向きに傾斜している請求項３記載のランドセル。
【請求項５】
前記側襠と底襠が一枚の襠地で形成されている請求項３記載のランドセル。
【請求項６】
前記主収納部に設けられた幅広収納部が、主収納部の中間に設けられている請求項１記載のランドセル。
【請求項７】
前記幅広収納部が前記主収納部の前面に位置し、この幅広収納部の前面にこれと同幅の副収納部を一体的に設けている請求項２記載のランドセル。
【請求項８】
前記幅広収納部が前記主収納部の側襠の内側に縦溝を凹設し、かつその外側に凸条を形成して設けられている請求項２、６または７記載のランドル。
【発明の詳細な説明】
【技術分野】
【０００１】
本発明はランドセルに関する。さらに詳しくは、主収納部にA４ファイルなどの幅広物を教科書やノートなどと一緒に収納したり、また副収納部にＡ４ファイルなどの幅広物を単独あるいは他の収納物と一緒に収納したりすることができるランドセルに関する。
【背景技術】
【０００２】
ランドセルは児童への負担軽減や事故防止などの諸理由によって大きさが制限されているのが実情である。通常、ランドセルは児童の背中に接する背当て面を基準にして形成されるので、背当て面の大きさを制限することによって好適な大きさを得ることが可能になっている。しかしこのような従来のランドセルの最も望ましいとされている背当て面における主収納部の側襠および底襠は、背当て面の両側端および下端よりわずかながら内側に入り込んでいて、背当て面とこれらの襠面との間には段部が形成されている。しかしてその主収納部の内幅は通常、市販されているＡ４用ファイルなどの幅の物は狭くて収納することができない形態になっている。
【０００３】
こうした従来のランドセルの背当て面の大きさを変更しないで、上記のような幅広の物を収納することができるように改良する方法としては、側襠および底襠を背当て面の端縁から立ち上げ、また従来の段部をなくして主収納部の内幅を拡幅することが考えられる。しかしこの方法は背当て面と側襠および底襠の縫製技術が熟練を要することから量産体制をとり難く問題がある。また従来の背当て面の端縁は側襠の表面より突出しているので、ランドセルが側面方向からの衝撃を受けた場合、側襠は背当て面の端縁が衝撃を受けることによって直撃を免れているが、上記改良方法では段部が形成されていないので、襠面への直撃を避けることは困難で、損傷する可能性がある。
【発明の開示】
【発明が解決しようとする課題】
【０００４】
近年、学校で配布されるプリントの用紙はＢ５版以外にＡ４版も使用されている。このため児童はこれらのプリントを収納するためのＡ４ファイルを使用するようになってきている。
【０００５】
本発明のランドセルは従来の最適な大きさであるとされている背当て面の幅を維持し、かつ従来の縫製技術を踏襲して、Ａ４版のプリントを収納するためのファイル、またはこの程度の大きさのものを収納することができるランドセルを提供することを課題にしている。
なお、ここでいうＡ４版ファイルとは工業規格のＡ４版の用紙よりも一回り大きく、また厚みは薄手のものからそれ相当の厚手のものまでを意味する。
【課題を解決するための手段】
【０００６】
本発明のランドセル（請求項１）は、主収納部および（または）副収納部に幅狭収納部と幅広収納部を連通状態で設けていることを特徴としている。前記主収納部に設けられた幅広収納部は主収納部の前面および（または）背面に位置している（請求項２）のが好ましい。このような前記主収納部の底襠は、その両側辺が背面から前面に向けて外側に広がっている台形状を呈し、前記底襠の両側辺よりそれぞれ側襠が立ち上がってなり、主収納部の前面の内幅が背面よりも幅広になっているのが好ましい（請求項３）。また前記底襠は、背面から前面に向けて下向きに傾斜し、側襠の下底は背面から前面に向けて下向きに傾斜している（請求項４）。さらに前記側襠と底襠は一枚の襠地で形成されているのが好ましい（請求項５）。また前記主収納部に設けられた幅広収納部は主収納部の中間に位置しているものであってもよい（請求項６）。また前記幅広収納部が前記主収納部の前面に位置し、この幅広収納部の前面にこれと同幅の副収納部を一体的に設けているものはさらに望ましい（請求項７）。また前記幅広収納部は、前記主収納部の側襠の内側に縦溝を凹設し、かつその外側に凸条を形成して設けられているものが好ましい（請求項８）。
【発明の効果】
【０００７】
本発明のランドセル（請求項１）は、主収納部および（または）副収納部に幅狭収納部と幅広収納部を連通状態で設けている。つまり主収納部および（または）副収納部の基本的構造は従来のようにＡ４ファイルあるいはＡ４ファイル幅の物を収納することができない幅狭になっている（幅狭収納部と称す）が、この主収納部および（または）副収納部を部分的に幅広にして幅広収納部を形成することによって、幅狭収納部と幅広収納部の両方を設けている。したがって本発明のランドセルは従来のランドセルのように、主収納部の幅が前後方向において均一であり、また幅狭であるものとは異なり、主収納部は幅狭収納部と幅広収納部によって形成されているので、幅狭物と幅広物とを一緒に収納することができるようになっている。また幅広物を収納するための提げ手袋などを別に携行する必要がなくなったので、児童の両手を開放状態にして未然に事故を防止することが可能になっている。
また幅狭収納部と幅広収納部とは連通しているので、幅狭収納部に収納されている幅狭物は、幅広収納部に幅広物が収納されていない状態においては、自由に幅広収納部と幅狭収納部の間を自由に移動することが可能になっている。したがって授業で使用した教科書をランドセルの背面方向にその都度、順次に収納していけば、前面には次に授業で使用する教科書が順に送り出されていくので、次の授業で使用する教科書はランドセルの前面に位置させることができる。
【０００８】
前記主収納部に設けられた幅広収納部が主収納部の前面および（または）背面に位置している場合（請求項２）、例えば幅広収納部が主収納部の前面に位置する状態においては、幅広収納部は主収納部の前面を被覆する垂れ状の蓋に近接している。また後面に位置する状態においては、幅広収納部は主収納部の背当て面に近接している。したがって蓋および背当て面の両側は主収納部の側襠より突出しているので、幅広収納部が蓋または背当て面とほぼ同幅であれば、ランドセルの側面に衝撃があっても、幅広収納部は蓋および背当て面の両側によって補助されて損傷を防止することができる。一方、前記蓋および（または）背当て面も幅広収納部によって衝撃による損傷を防止することができる。また上記幅広収納部が副収納部に設けられている場合においても、同様の作用効果を奏成することが可能になっている。
【０００９】
前記主収納部の底襠の両側辺が背面から前面に向けて外側に広がっている台形状を呈し、前記底襠の両側辺よりそれぞれ側襠が立ち上がってなり、主収納部の前面の内幅が背面よりも幅広である場合（請求項３）、主収納部の前面に幅広収納部が形成されていることになるが、主収納部に収納されている収納物は前面方向に移動し易くなっているので、ランドセルの揺動があっても収納部の中の収納物は一定方向に寄り集まって一塊の状態で収納され、中でバラバラになるのが防止されている。したがって収納物は安定した状態で収納されるので、可及的に損傷を防止することができる。
【００１０】
前記底襠が背面から前面に向けて下向きに傾斜し、側襠の下底が背面から前面に向けて下向きに傾斜している場合（請求項４）、主収納部の収納物は一層、幅広収納部へ寄り集まり易くなる。また幅広収納部の底襠は幅狭収納部の底襠よりも下位にある。つまり主収納部の深さが幅広収納部の方が幅狭収納部よりも深くなっているので、背丈の高い収納物は勿論のこと、幅広、かつ背丈の高い、つまり大型の収納物を収納することが可能になっている。また閉蓋状態における蓋のフォルムは背丈の高い収納物であっても、底が深くなっているので、好体裁を維持することが可能になっている。また主収納部の上方から突出する量は小さくしておくことが可能になっているので、閉蓋時の蓋による収納物への圧迫は緩和され、収納物の上端が摺損するのを防止することができる。
【００１１】
前記側襠と底襠が一枚の襠地で形成されている場合（請求項５）、主収納部の後面側にある背当て面および前面側にある副収納部との仕切り面と襠地の連結方法は従来のとおり簡単、かつ確実行うことができるので、主収納部の形態が変化しても量産およびコスト面において問題はない。
【００１２】
前記幅広収納部が主収納部の中間に設けられている場合（請求項６）、幅広物は主収納部の中間に位置することになる。したがって、幅広物は主収納部を前後方向に二分する仕切り板として作用し、収納物を種別ごとに二分割収納することが可能となる。また、収納物が混在しないよう防止することが可能となる。さらに主収納部の容量は中間で分割されることによって、小容量の収納部を確保することが可能になるので、主収納部に少量の収納物を収納する場合でも、揺動は防止されて、比較的安定した状態で収納することができる。
【００１３】
前記幅広収納部が前記主収納部の前面に位置し、この幅広収納部の前面にこれと同幅の副収納部を一体的に設けている場合（請求項７）、上記副収納部は主収納部の幅広収納部に連続的に、かつ独立して形成されている。したがって、このランドセルは確実に分離した幅広収納部を得ることが可能になっているから、幅広収納物を別々に収納することができる。
【００１４】
前記幅広収納部が前記収納部の側襠の内側に縦溝を凹設し、かつその外側に凸条を形成して設けられている場合（請求項８）、主収納部の側襠に外側からの衝撃があった場合、前記凸条がその衝撃のクッション作用をして幅狭収納部への衝撃を緩和することが可能になっている。したがって幅狭収納部に収納されている収納物を衝撃から保護して損傷を防止することができる。また主収納部の側襠の中間に上記凸条を形成している幅広収納部が設けられている場合、その幅広収納部と副収納部との間に介在する幅狭収納部の側襠部分は凹形成されているので、当該部分は側襠方向からの衝撃を直接的に受けることは防止されている。また同様に側襠の前面に凸条を形成している幅広収納部が設けられている場合、上記副収納部の側面と主収納部の幅広収納部の側面が合わさってそれ相当の厚みを有することが可能になっている。したがってランドセルの主収納部の前面、つまり蓋側から衝撃があった場合、幅狭収納部への衝撃は同主収納部の幅広収納部と副収納部による二重のクッション作用によって、緩和することができる。また幅広収納部および副収納部の襠幅は側面方向からはそれ相当の幅広になっているから、ランドセルの側面から衝撃があった場合、衝撃を受け止める面積が増大している分、従来の蓋や背当て面の側縁で衝撃を受け止めるよりも、一層効果的に衝撃緩和することができる。
【発明を実施するための最良の形態】
【００１５】
つぎに図面を参照しながら本発明の実施形態を説明する。図１は本発明のランド
セルの実施形態を示す主収納部の横断面図、図２は本発明のランドセルの側面図、
図３は襠の展開図、図４ａおよび図４ｂは襠の説明図、図５および図５ｂは底襠
襠および側襠のそれぞれを背当て面に取り付けている部分の説明図、図６はその
他の実施形態を示す側面図、図７乃至図８はその他の実施形態を示す主収納部及
び副収納部の平面図である。
【００１６】
第１図に示すランドセルＡの主収納部１は、従来と同じ幅の背当て面２と、これに対面している可撓性で張り力を有している前面３と、これらの間に介在している底襠４およびその両側の側襠５とからなっている。背当て面２と前面３の幅はほぼ同じであり、かつ工業規格Ａ４用紙の幅よりも幅広く、例えば市販されている該Ａ４の専用ファイルなどの幅とほぼ同じ大きさになっている。前記底襠４は台形を呈していて、その上底の部分は従来の底襠の幅とほぼ同じ幅になっており、前記背当て面２の下端より少し上方に位置し、かつその両端は同背当て面２の両側より少し内側に入り込んだところに位置している。また同下底は前面３の下端に位置し、かつその両端は前面３の両端に位置している。しかして底襠４はわずかながら前下がりに傾斜した状態になっている。またこの底襠４の両側辺から起立している両側の側襠５は面の向きが背当て面２から前面３に向けて外側に広がったハの字状に保持されていて、一方の側端は背当て面２の側端より内側に入ったところに位置し、また他方の側端は前面３側の側端に位置している。しかして底襠４と側襠５の境界部、または底襠４の側辺あるいは側襠５の下辺は前下がりに、かつ外広がりになっている。また前記主収納部１の開口部の平面形状についても底襠４と同じように背当て面２側より前面３側の方が幅広になっている。また背当て面２の上縁を除く周縁は従来のように段部６を形成している。さらに図２に示すように側襠５の上縁５ｄは中心線Ｃよりも前方が後方よりも山高に湾曲形成されている。また上縁５ａは前面３に連結している一端が背当て面２に連結している同他端よりも上方に位置している。しかして主収納部１の前面３は、背当て面２側で収納することができない高さのある収納物でも前面３側で収納することが可能であり、しかも湾曲して閉じる可動蓋１２との密着性がよい。
【００１７】
なお、本発明の実施形態は主収納部１以外は従来のランドセルと基本的に変るものではないが、図２に示すように底襠４に設けられているダルマ鐶９（背負いベルト１０の連結鐶）は底襠４が上記のとおり傾斜していることから、背当て面２側に傾斜した状態になっている。
したがってランドセルの背嚢時に背負いベルト１０が上向きに引っ張られても、従来の傾斜していない底部に取り付けられているダルマ鐶よりも負荷は小さく、ダルマ鐶の取り付け部分への損傷を防止することができる。
【００１８】
さらにその他の基本的な実施形態について説明すると、主収納部１の前面３側には副収納部１１が設けられているが、この副収納部は図１に示すようにほぼ主収納部１と同じ幅になっている。また背当て面２の上端からは背当て面２と同じ幅の可動蓋１２が延びており、その先端には底襠４に設けられている掛合具に掛止可能な被掛合部材が設けられている。なお、その閉蓋状態においては主収納部１および副収納部１１は上記可動蓋１２によって被覆されるので、上方からの外観および正面からの外観は従来のランドセルと同じく、主収納部や副収納部は不外見で、違和感はない。また底襠４や側襠５の補強方法は従来のものと同様であるが、二点鎖線で示すように底襠４に嵌められている芯板１３は形状が台形になっている。また側襠５の芯板１５は図２に示すように二点鎖線で示す位置に定着し、かつ後述する襠芯と外皮体との間に介在している。
【００１９】
明らかなように背当て面２の上端を除く周縁は従来のように底襠４および側襠５から突出している。したがって背当て面２のこの突出部１４は側襠５あるいは底襠４方向への衝撃を受け止めて、底襠および側襠をその衝撃から保護することができる。さらに主収納部１の背当て面２は、大きさを制限することを付加している従来の大きさをそのまま維持したまま、主収納部１は背面側では収納できないＡ４ファイルなどの幅広のものを収納できるようにしている。また主収納部の内幅および深さは主収納部の場所によって微妙に大きさが異なっているので、収納物の幅に見合う場所に収納すれば、可及的に安定した状態で運搬することができる。
【００２０】
本実施形態の襠についてさらに詳述する。
図３に示すように底襠４及び側襠５は少なくとも一枚の襠芯２０とこの襠芯よりも幅広である外皮体２１とで構成されており、両者は接着剤などで一体になっている。図３に示す襠芯２０の両側より突き出ている外皮体２１の端縁２１ａおよび２１ｂは背当て面２および前面３との縫合部２２である。
【００２１】
襠芯２０は本やノートなどの重量物の揺動に対して底襠および側襠が変形するのを防止するものであるから、それ相当の硬性と、かつ折り目線ができる程度の可撓性とを有していることが望ましい。襠芯２０の中央には台形Ｄの底襠芯４ａが配されているが、その台形Ｄは左右対称であって、かつその上底Ｄ１の長さが下底Ｄ２よりも短くなっている。なお図示の二点鎖線は台形の仮想側辺Ｄ３で、下底に向かって広がっている。側襠芯５ａ、５ａは前記台形Ｄのそれぞれの側辺Ｄ３、Ｄ３から連続的に延びていて、底襠芯４ａの上底Ｄ１方向に傾斜している。また側襠芯５ａの上縁５ｄは前記側辺５ｃ側が側辺５ｂよりも山高になるよう湾曲形成されていて、側辺５ｃの上端が側辺５ｃの上端よりも上方に位置している（高低差量γ）。
【００２２】
図４ａ、図４ｂに示すように図３の襠芯２０は台形Ｄの仮想側辺Ｄ３を折り曲げて背当て面２および前面３に取り付けられるが、上底Ｄ１と側辺５ｂの交差部Ｐ１および下底Ｄ２と側辺５ｃの交差部Ｐ２のそれぞれの角度が直角になっている。また前記交差部Ｐ２はＰ１より外側方向に広がっており（広がり量βとする）、かつ下向きに傾斜している（傾き量αとする）。したがって図４ａに示すようにＰ２、Ｐ２間の内幅Ｗ１はＰ１、Ｐ１間の内幅Ｗ２よりもβ×２の長さ分が幅広になっている。また図４ｂに示すようにＰ２側の高さ（あるいは深さ）Ｈ１はＰ１側の高さ（あるいは深さ）Ｈ２よりも前記傾き量αの長さ分および高低差量γの長さ分が高く（あるいは深く）なっている。
【００２３】
背当て面２および前面３に対する上記襠芯２０の取り付けは、図５ａおよび図５ｂに示すように背当て面２の両側に側襠５が取り付けられ、また下部に底襠４が取り付けられように配して周縁に外皮体２１の端縁２１ａを重ね合わせ、重ね合わせた部分をコ字状のトリミング材２３で被覆して背当て面２の端から少し内側に入り込んだところを縫い糸２４で縫合している。また反対側の端縁２１ｂは前面３の端縁と縫合している。しかして背当て面２および前面の内側には襠芯４ａおよび側襠５ａの側端が当接して、主収納部は形成される。また主収納部１の背当て面２側の周囲は背当て面の周縁が突出し、段部６が形成される。
なお、襠芯２０の内側には裏当て地２５を取り付けて、内装してもよい。
【００２４】
しかして図１に示すように本実施形態のランドセルの主収納部１の開口部も図４ａ、４ｂのＰ１とＰ１間の内幅および前記Ｐ２とＰ２間の内幅を有することになる。また背当て面２側は従来の主収納部の幅及び深さを保持した状態になっているが、前面側は従来のランドセルにはないＡ４ファイルなど、幅広の収納物が容易に収納できる幅および深さになる。つまり従来のランドセルのように主収納部の幅は全て均一ではないので、幅の異なる収納物を最も適した部位に収納することができる。
【００２５】
また前記主収納部１の前面側にはこの前面側の幅とほぼ同じ幅で形成され、また同底とほぼ同じ高さで形成されている副収納部１１が設けられているので、Ａ４ファイルなどの幅広の物を主収納部以外でも収納することができる。
【００２６】
その他の実施形態としては、図６に示すように底襠３１を水平状態にし、また側襠３２の下辺を水平状態にして主収納部３０を形成しているランドセルＢがある。この主収納部３０は前記実施形態同様、底襠３１は台形であるから主収納部の内幅は背当て面から前面に向かって幅広になっている。したがって背当て面３３の側では収納できないＡ４などの幅広の物を前面３４の側で収納することができる。この主収納部３０は図示からも明らかなように、外観は底面が台形である以外、従来のランドセルと変らないので、一層、違和感はない。なお、側襠３０の上縁は前面３４側が背当て面３側よりも山高に湾曲形成されていることにより、幅広でそれ相当に高さのあるＡ４ファイルなどの大型物を収納することができる。
【００２７】
さらにその他の実施形態を図７および図８に説明する。これらの実施形態の底襠の形状は長方形であり、かつ水平状態になっており、また側襠は向かい合っている二面が平行状態になっている。なお底襠が上記実施形態のように傾斜していてもよい。
図７は幅広収納部４０が主収納部４１の中間に位置しているランドセルＣである。つまり主収納部には幅広収納部４０と、この幅広収納部４０の前後にこれに連通している幅狭収納部４２によって形成されている。幅広収納部４０は主収納部４１の側襠４３の中間部に上下方向に延び、かつ外側に突出する縦溝４４を設けることによって形成されている。つまり側襠４３の外側面には凸条４５が形成されるが、この凸条４５、４５間の幅Ｗ３は背当て面４６または閉蓋状態の蓋４７（図１に示す背当て面および蓋）の幅とほぼ同じ幅になっている。したがってランドセルＣの側面に外側からの衝撃があった場合、従来は背当て面および蓋の側縁によって主収納部の側襠を保護していたが、主収納部４１の中間に凸条４５が形成されたことによって、この凸条４５によっても幅狭収納部４２の側襠４３を保護することが可能になったので、側襠４３の保護は一層強化されるようになった。また凸条４５は単独で上記衝撃を受けることを防止することが可能になっているので、損傷することは防止されて凸条の形状を保持することができる。
【００２８】
さらに幅広収納部４０にＡ４ファイルなどの幅広物が収納されている状態では、その幅広物が幅広収納部４０の梁の作用をすることになる。したがって上記のような衝撃が合った場合、凸条４５は幅広物の梁作用によってさらに損傷を防止することができ、また型崩れも防止することができる。また幅狭収納部４２への衝撃は緩和されるので、幅狭収納部４２に収納されている収納物は一層、保護されることになる。
さらに前記幅広物は主収納部４１を分割して独立した二つの幅狭収納部４２、４２を提供することになるが、収納物が少量の場合にはこれを一方の幅狭収納部４２に収納することによって収納物の揺動を防止することができるので、ランドセルＣの背負い心地は非常に快適なものとなる。
【００２９】
図８は幅広収納部５０が主収納部５１の最前位置にあり、またこの幅広収納部５０の前にこれと同幅の副収納部５２が隣接しているランドセルＤである。つまり主収納部５１は前方に幅広収納部５０とその後方に幅狭収納部５３が連通状態で形成されている。この幅広収納部５０は幅狭収納部５３との境界部が段５４形成されており、段形成することによって幅狭収納部５３の幅を拡幅させている。
【００３０】
幅広収納部５０および副収納部５２のそれぞれの側襠５０ａ、５２ａはほぼ平面状であり、またほぼ面一に形成されているので、幅広の側襠５５を形成することになる。また幅広収納部５０および副収納部５２の幅W４は背当て面５６または蓋５７（図１に示す背当て面および蓋）の幅とほぼ同じ幅になっている。したがって幅狭収納部５３は後方が硬性の背当て面５６、またに前方が幅広の側襠５５を有する幅広収納部および副収納部５２そして閉蓋状態における蓋５７等の幅広部に囲まれているので、ランドセルの側面方向から衝撃があった場合は上記幅広部によって直撃が防止されるから、幅狭収納部の中に収納されている収納物も衝撃圧が緩和されている。また幅広の側襠５５は閉蓋状態の蓋５７が前面を保護しているので、簡単に形状が損なわれることは防止されている。
【００３１】
なお、上記図７乃至図８の側襠の上縁については前記実施形態と同様、幅広収納部の位置が山高になるよう湾曲形成することにより、幅広で高さがそれ相当に有するＡ４ファイルなどを収納することが可能になる。さらに底襠に前記縦溝に通ずる横溝を形成しておくことにより、収納物の両側および下方が主収納部内で立状態で支持されることが可能になるので、非常に安定感のある収納状態を得ることができる。また主収納部の深さは一層深くなるので、収納物の上方を折り曲げた状態で収納しなくてもよくなる。
【００３２】
図示以外の実施形態としては幅広収納部が主収納部の背当て面と最前面の側に位置し、中間に幅狭収納部が連状態で形成されているものや、また背当て面の側に幅広収納部を形成し、残りの主収納部が幅狭収納部を形成しているものがある。また前記縦溝の形状は図示の通り内角が直角に形成されたものが収納物を安定した状態で支持することができるので、望ましい形状ではあるが、意匠上、あるいは製法上は略Ｕ字状あるいは半円形状のものであってもよい。
究極のところ、本発明の上記実施形態はランドセルの軽量化または小型化を念頭において、特に主収納部に幅広物の収納スペースを形成し、かつ従来のような教科書の幅狭の教科書が極力揺動しないような幅狭収納部を併設していることで、本発明のテーマを解決可能にしている。
【図面の簡単な説明】
【００３３】
【図１】本発明のランドセルの実施形態を示す主収納部の横断面図である。
【図２】図１のランドセルの側面図である。
【図３】襠の展開図である。
【図４】図４ａおよび図４ｂは襠の説明図である。
【図５】図５ａおよび図５ｂは底襠および側襠のそれぞれを背当て面に取り付けている部分の説明図である。
【図６】その他の実施形態を示す側面図である。
【図７】その他の実施形態を示す平面図である。
【図８】その他の実施形態を示す平面図である。
【符号の説明】
【００３４】
１  主収納部
２  背当て面
３  前面
４  底襠
４ａ  底襠芯
５  側襠
５ａ  側襠芯
５ｂ  側辺
５ｃ  側辺
５ｄ  上縁
６  段部
９  ダルマ鐶
１０  背負いベルト
１１  副収納部
１２  可動蓋
１３  芯板
１４  突出部
１５  芯板
２０  襠芯
２１  外皮体
２１ａ  端縁
２１ｂ  端縁
２２  縫合部
２３  トリミング材
２４  縫い糸
３０  主収納部
３１  底襠
３２  側襠
３３  背当て面
３４  前面
４０  幅広収納部
４１  主収納部
４２  幅狭収納部
４３  側襠
４４  縦溝
４５  凸条
４６  背当て面
４７  蓋
５０  幅広収納部
５０ａ  側襠
５１  主収納部
５２  副収納部
５２ａ  側襠
５３  幅狭収納部
５４  段部
５５  幅広の側襠
５６  背当て面
５７  蓋
Ｃ  中心線
Ｄ  台形
Ｄ１  上底
Ｄ２  下底
Ｄ３  仮想側辺
Ｐ１  交差部
Ｐ２  交差部
Ａ  ランドセル
Ｂ  ランドセル
Ｃ  ランドセル
Ｄ  ランドセル
Ｗ１  幅広収納部の幅
Ｗ２  幅狭収納部の幅
Ｗ３  幅広収納部の幅
Ｗ４  幅広収納部の幅
Ｈ１  幅広収納部側の高さ
Ｈ２  幅狭収納部側の高さ
β  広がり量
α  傾き量
γ  丈長量
【図１】
2005103245.tif 000003
【図２】
2005103245.tif 000004
【図３】
2005103245.tif 000005
【図４】
2005103245.tif 000006
【図５】
2005103245.tif 000007
【図６】
2005103245.tif 000008
【図７】
2005103245.tif 000009
【図８】
2005103245.tif 000010